(57)【要約】【課題】ＦＰＣが基板等の端部に押圧されて、ＦＰＣ上に形成された導電パターンが断線することを防止することができる電気光学装置、電気光学装置の製造方法及び電子機器を提供する。【解決手段】フレキシブル回路基板は、一部が基板と対向配置して接続されるとともに、基板と重ならない領域へ導出された後、基板に対向する側の面を内側にして湾曲されて、筐体の基板面と交差する方向に延在する固定面に固定されており、かつ、フレキシブル回路基板を、基板面の延在方向と筐体の固定面の延在方向とが交差する線よりも外側を通過させる。【選択図】図１
2008058760.tif 000002
【特許請求の範囲】
【請求項１】
筐体に収容され、フレキシブル回路基板が接続された基板を備えた電気光学装置において、
前記フレキシブル回路基板は、一部が前記基板と対向配置して接続されるとともに、前記基板と重ならない領域へ導出された後、前記基板に対向する側の面を内側にして湾曲されて、前記筐体の前記基板面と交差する方向に延在する固定面に固定されており、かつ、前記基板面の延在方向と前記筐体の固定面の延在方向とが交差する線よりも外側を通過することを特徴とする電気光学装置。
【請求項２】
前記フレキシブル回路基板は、前記基板と重ならない領域へ導出された部分において、前記基板面の延在方向に沿った直線部を備えることを特徴とする請求項１に記載の電気光学装置。
【請求項３】
前記筐体は、前記フレキシブル回路基板における、前記基板との接続箇所から湾曲箇所までの間を、湾曲の外側から押さえる形状保持部を備えることを特徴とする請求項１又は２に記載の電気光学装置。
【請求項４】
前記フレキシブル回路基板は、前記筐体に設けられた係止部に係止されて、前記筐体との固定位置を規定するための位置決め部を備えることを特徴とする請求項１〜３のいずれか一項に記載の電気光学装置。
【請求項５】
前記フレキシブル回路基板と前記基板とは異方性導電膜を用いて圧着されており、前記異方性導電膜の端部と前記基板の端部とが一致していることを特徴とする請求項１〜４のいずれか一項に記載の電気光学装置。
【請求項６】
基板に接続されたフレキシブル回路基板が、前記基板と重ならない領域へ導出されるとともに、前記基板に対向する側の面を内側にして湾曲させて、筐体における前記基板面と交差する方向に延在する固定面に固定された電気光学装置の製造方法であって、
前記基板面の延在方向と前記筐体の固定面の延在方向とが交差する線よりも外側を通過するように前記フレキシブル回路基板を湾曲させて、前記筐体の固定面に固定することを特徴とする電気光学装置の製造方法。
【請求項７】
前記フレキシブル回路基板をあらかじめ折り曲げ加工することを特徴とする請求項６に記載の電気光学装置の製造方法。
【請求項８】
請求項１〜５のいずれか一項に記載された電気光学装置を備えた電子機器。
【発明の詳細な説明】
【技術分野】
【０００１】
本発明は、電気光学装置、電気光学装置の製造方法、及び電子機器に関する。特に、フレキシブル回路基板を湾曲して筐体に固定した電気光学装置、そのような電気光学装置の製造方法、及びそのような電気光学装置を備えた電子機器に関する。
【背景技術】
【０００２】
従来、電気光学装置の一態様として、それぞれの画素ごとに電極が対向しており、この対向する電極間に印加する電圧を選択的にオン、オフさせることによって、それぞれの画素の液晶材料を通過する光を変調させ、表示領域全体として絵や文字等の画像を表示させる液晶装置がある。
このような液晶装置において、小型化及び軽量化を目的として、表面に導電パターンや電子部品を設けたフレキシブル回路基板（以下、ＦＰＣと称する場合がある。）を、異方性導電膜（以下、ＡＣＦと称する場合がある。）等を用いて基板に接続した液晶装置がある。かかるＦＰＣは、可撓性の基板を基体とした回路基板であり、収容される筐体や、装置の外形に応じて自由に折り曲げることができる一方、折り曲げ作業に起因して、表面に設けられた導電パターンが断線するおそれがある。
【０００３】
そこで、平面表示装置に接続されて用いられる、折り曲げ作業に起因する断線の防止に着目したフレキシブル配線基板が開示されている。より具体的には、図１０に示すように、駆動入力用のＦＰＣ３０１は、端子接続用枝部３１５が表示パネル３０２の棚状周縁部３２５に接続され、ケーシングフレーム３０３の端縁部で表側面から裏側面へと略Ｕ字状に折り曲げられ、ＦＰＣ３０１には、ケーシングフレーム３０３の端縁部における２つの稜線３３１に対応する箇所にそれぞれ折り曲げ箇所用肉厚部３１１が備えられ、稜線３３１に沿った折り曲げの際、断面が略円弧状を描くとともに、２つの折り曲げ箇所用肉厚部３１１の間には、折り曲げ防止用肉厚部３１２が備えられたＦＰＣ３０１である（特許文献１参照）。
【０００４】
【特許文献１】特開２００２−１４１６２０号  （図１）
【発明の開示】
【発明が解決しようとする課題】
【０００５】
しかしながら、特許文献１に記載された液晶装置は、構成が複雑であり、特殊なＦＰＣを用いる必要があるとともに、ケーシングフレームの幅（高さ）に対応して折り曲げ箇所用肉厚部及び折り曲げ防止用肉厚部を設ける必要があり、汎用性に乏しいものである。また、折り曲げ箇所用肉厚部の位置が適切でなく、ＦＰＣの湾曲部のＵ字の幅が、ケーシングフレームの幅（高さ）よりも小さい場合には、ＦＰＣはケーシングフレームの端部に押圧されてしまい、当該箇所の導電パターンが断線を生じるおそれがある。すなわち、ＦＰＣを折り曲げた際に、ＦＰＣがケーシングフレームや基板の端部に押圧される状態となってしまうと、当該端部によって導電パターンが断線を生じるという問題があった。
【０００６】
また、特許文献１に記載された液晶装置のような構成以外にも、図１１に示すように、フレキシブル回路基板４１７が、一部が基板４６０と対向配置して接続されるとともに、基板４６０と重ならない領域へ導出された後、基板４６０に対向する側の面を内側にして湾曲されて、筐体４１４の基板面４６１ａと交差する方向に延在する固定面４１４ａに固定されて構成される場合がある。このような構成の液晶装置において、フレキシブル回路基板４１７が、基板面４６１ａの延在方向と筐体４１４の固定面４１４ａの延在方向とが交差する線（図中交点Ｐで表される。）よりも内側で、あるいは、筐体４１４の固定面４１４ａの延在方向に沿った面上で折り曲げられると、フレキシブル回路基板４１７が基板４６０の端部４１９に押圧される状態となり、当該端部４１９によって導電パターン４０２が断線を生じるおそれがあった。
【０００７】
そこで、本発明の発明者らは鋭意努力し、ＦＰＣが接続された電気光学装置において、ＦＰＣが所定の位置を通過するように折り曲げて筐体に固定することにより、このような問題を解決できることを見出し、本発明を完成させたものである。
すなわち、本発明は、ＦＰＣが基板等の端部に押圧されて、ＦＰＣ上に形成された導電パターンが断線することを防止することができる電気光学装置を提供することを目的とする。また、本発明の別の目的は、そのような電気光学装置の製造方法、及びそのような電気光学装置を備えた電子機器を提供することである。
【課題を解決するための手段】
【０００８】
本発明によれば、筐体に収容され、フレキシブル回路基板が接続された基板を備えた電気光学装置であって、フレキシブル回路基板は、一部が基板と対向配置して接続されるとともに、基板と重ならない領域へ導出された後、基板に対向する側の面を内側にして湾曲されて、筐体の基板面と交差する方向に延在する固定面に固定されており、かつ、基板面の延在方向と筐体の固定面の延在方向とが交差する線よりも外側を通過した電気光学装置が提供され、上述した問題を解決することができる。
すなわち、フレキシブル回路基板を、パネルの基板面の延在方向と筐体の固定面の延在方向とが交差する線よりも外側を通過させることにより、フレキシブル回路基板における基板との接続箇所と筐体との固定箇所との間の長さを、余裕を持って確保することができる。したがって、基板とフレキシブル回路基板との接続箇所において、フレキシブル回路基板が下方へ引っ張られる力を低減させることができる。その結果、基板のエッジ部分によって、フレキシブル回路基板上の配線パターンが断線することを防止することができる。
【０００９】
また、本発明の電気光学装置を構成するにあたり、フレキシブル回路基板は、基板と重ならない領域へ導出された部分において、基板面の延在方向に沿った直線部を備えることが好ましい。
このように構成することにより、フレキシブル回路基板上の配線パターンの断線を防止できる一方、フレキシブル回路基板を基板面から浮きにくくすることができる。
【００１０】
また、本発明の電気光学装置を構成するにあたり、筐体は、フレキシブル回路基板における、基板との接続箇所から湾曲箇所までの間を、湾曲の外側から押さえる形状保持部を備えることが好ましい。
このように構成することにより、フレキシブル回路基板上の配線パターンの断線を防止できる一方、フレキシブル回路基板が基板面からの浮きを防いで、フレキシブル回路基板が基板から剥離することを防止することができる。
【００１１】
また、本発明の電気光学装置を構成するにあたり、フレキシブル回路基板は、筐体に設けられた係止部に係止されて、筐体との固定位置を規定するための位置決め部を備えることが好ましい。
このように構成することにより、電気光学装置を製造する際に、フレキシブル回路基板を容易に所定の湾曲状態にすることができ、製造効率を向上させることができる。
【００１２】
また、本発明の電気光学装置を構成するにあたり、フレキシブル回路基板と基板とは異方性導電膜を用いて圧着されており、異方性導電膜の端部と基板の端部とが一致していることが好ましい。
このように構成することにより、フレキシブル回路基板の接続箇所において、フレキシブル回路基板が基板のエッジ部に接触しにくくなるために、フレキシブル回路基板に、基板に対する押圧力が多少発生した場合であっても、フレキシブル回路基板上の配線パターンの断線を生じにくくすることができる。
【００１３】
また、本発明の別の態様は、基板に接続されたフレキシブル回路基板が、基板と重ならない領域へ導出されるとともに、基板に対向する側の面を内側にして湾曲させて、筐体の基板面と交差する方向に延在する固定面に固定された電気光学装置の製造方法であって、基板面の延在方向と筐体の固定面の延在方向とが交差する線よりも外側を通過するようにフレキシブル回路基板を湾曲させて、筐体の固定面に固定する電気光学装置の製造方法である。
すなわち、フレキシブル回路基板を、所定箇所を通過するように湾曲させて固定させることにより、フレキシブル回路基板が基板の端部に押圧されて、当該フレキシブル回路基板上の配線パターンが断線することを防止できる電気光学装置を効率的に製造することができる。
【００１４】
また、本発明の電気光学装置の製造方法を実施するにあたり、フレキシブル回路基板をあらかじめ折り曲げ加工することが好ましい。
このように実施することにより、フレキシブル回路基板の湾曲形状を容易に形成することができ、フレキシブル回路基板の湾曲、固定作業を効率的に行うことができる。
【００１５】
また、本発明の別の態様は、上述したいずれかの電気光学装置を備えた電子機器である。
すなわち、基板の端部によるフレキシブル回路基板上の配線パターンの断線を低減した電気光学装置を備えているため、動作不良の少ない、信頼性に優れた電子機器を提供することができる。
【発明を実施するための最良の形態】
【００１６】
以下、適宜図面を参照して、本発明の電気光学装置、電気光学装置の製造方法、及び電子機器に関する実施形態について具体的に説明する。ただし、かかる実施形態は、本発明の一態様を示すものであり、この発明を限定するものではなく、本発明の範囲内で任意に変更することが可能である。
なお、それぞれの図中、同一の符号を付してあるものについては同一の部材を示しており、適宜説明を省略する。また、図によっては、一部の部材が適宜省略されている場合がある。
【００１７】
［第１実施形態］
本発明の第１実施形態は、筐体に収容され、フレキシブル回路基板が接続された基板を備えた電気光学装置である。
本実施形態の電気光学装置において、フレキシブル回路基板は、一部が基板と対向配置して接続されるとともに、基板と重ならない領域へ導出された後、基板に対向する側の面を内側にして湾曲されて、筐体の基板面と交差する方向に延在する固定面に固定されており、かつ、基板面の延在方向と筐体の固定面の延在方向とが交差する線よりも外側を通過することを特徴とする。
以下、本実施形態の電気光学装置として、ＴＦＴ素子（Thin Film Transistor）を備えたアクティブマトリクス型の液晶装置を例に採って説明する。ただし、本発明は、ＴＦＴ素子を備えた液晶装置だけでなく、ＴＦＤ素子（Thin Film Diode）を備えたアクティブマトリクス型の液晶装置や、スイッチング素子を備えていないパッシブマトリクス型の液晶装置をはじめとして、種々の電気光学装置に適用することができる。
【００１８】
１．基本的構成
まず、図１（ａ）〜（ｂ）を参照して、本実施形態に係る液晶装置の基本的構成について説明する。ここで、図１（ａ）は、本実施形態の液晶装置１０の斜視図であり、図１（ｂ）は、図１（ａ）中のＸＸ断面を矢印方向に見た断面図を示している。
この図１に示すように、本実施形態の液晶装置１０は、対向基板３０と素子基板６０とをシール材（図示せず）によって貼り合わせるとともに、セル領域内に液晶材料（図示せず）が封入された液晶パネル２０を備えている。また、液晶パネル２０における素子基板６０は、対向基板３０の外形よりも外側に張り出してなる基板張出部６０Ｔを有しており、この基板張出部６０Ｔにおける、液晶材料を保持する面側には、外部接続用端子（図示せず）が形成されているとともに、当該外部接続用端子に対して、半導体素子９１とパネル駆動用フレキシブル回路基板１７（以下、単に駆動用ＦＰＣと称する場合がある。）とが接続されている。
【００１９】
また、液晶パネル２０の表示面の背面側には照明装置１１が配置されている。この照明装置１１は、光源駆動用フレキシブル回路基板１９（以下、単に光源用ＦＰＣと称する場合がある。）に実装された光源１３と、当該光源１３が端部に配置され、光源１３から出射された光を液晶パネル２０に導く導光板１５とからなっている。光源用ＦＰＣ１９は、コネクタ１８を用いて駆動用ＦＰＣ１７に接続されている。
光源１３としては、発光ダイオード（ＬＥＤ）が一般的であるが、それ以外にも蛍光管を用いることもできる。また、導光板１５は、透光性のアクリル樹脂等からなる平板状の部材であり、液晶パネル２０と面する面の背面側には、光反射板又は光反射膜（図示せず）を備えている。
そして、これらの液晶パネル２０及び照明装置１１は、ともにプラスチック等からなる枠状の筐体１４に収容され、固定されている。
【００２０】
２．液晶パネル
図２は、図１の液晶装置に備えられた液晶パネルの部分拡大断面図である。この図２に示すように、対向基板３０は、ガラスやプラスチック等によって形成され、当該対向基板３０上には、カラーフィルタすなわち着色層３７ｒ、３７ｇ、３７ｂと、その着色層３７ｒ、３７ｇ、３７ｂの上に形成された対向電極３３と、その対向電極３３の上に形成された配向膜４５とを備えている。また、反射領域における、着色層３７ｒ、３７ｇ、３７ｂと対向電極３３との間には、リタデーションを最適化するための絶縁層４１を備えている。
対向基板３０上に備えられた対向電極３３は、ＩＴＯ（インジウムスズ酸化物）等によって基板の表面全域に形成された面状電極である。また、着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、着色層３７ｒ、３７ｇ、３７ｂの隣であって、画素電極６３に対向しない位置にブラックマスク又はブラックマトリクス、すなわち遮光膜３９が設けられている。
【００２１】
また、対向基板３０に対向する素子基板６０は、ガラスやプラスチック等によって形成され、当該素子基板６０上には、スイッチング素子として機能するアクティブ素子としてのＴＦＴ素子６９と、透明な絶縁膜８１を挟んでＴＦＴ素子６９の上層に形成された画素電極６３とを備えている。
素子基板６０上に備えられた画素電極６３は、反射領域においては反射表示を行うための光反射膜７９（６３ａ）を兼ねて形成されるとともに、透過領域Ｔにおいては、ＩＴＯなどにより透明電極６３ｂとして形成される。また、画素電極６３ａとしての光反射膜７９は、例えばＡｌ（アルミニウム）、Ａｇ（銀）等といった光反射性材料によって形成される。そして、画素電極６３の上には、ポリイミド系の高分子樹脂からなる配向膜８５が形成されるとともに、この配向膜８５に対して、配向処理としてのラビング処理が施される。
【００２２】
また、対向基板３０の外側（すなわち、図２の上側）表面には、位相差板４７が形成され、さらにその上に偏光板４９が形成されている。同様に、素子基板６０の外側（すなわち、図２の下側）表面には、位相差板８７が形成され、さらにその下に偏光板８９が形成されている。
【００２３】
また、ＴＦＴ素子６９は、素子基板６０上に形成されたゲート電極７１と、このゲート電極７１の上で素子基板６０の全域に形成されたゲート絶縁膜７２と、このゲート絶縁膜７２を挟んでゲート電極７１の上方位置に形成された半導体層７０と、その半導体層７０の一方の側にコンタクト電極７７を介して形成されたソース電極７３と、さらに半導体層７０の他方の側にコンタクト電極７７を介して形成されたドレイン電極６６とを有する。
また、ゲート電極７１はゲートバス配線（図示せず）から延びており、ソース電極７３はソースバス配線（図示せず）から延びている。また、ゲートバス配線は素子基板６０の横方向に延びていて縦方向へ等間隔で平行に複数本形成されるとともに、ソースバス配線はゲート絶縁膜７２を挟んでゲートバス配線と交差するように縦方向へ延びていて横方向へ等間隔で平行に複数本形成される。
かかるゲートバス配線は液晶駆動用ＩＣ（図示せず）に接続されて、例えば走査線として作用し、他方、ソースバス配線は他の駆動用ＩＣ（図示せず）に接続されて、例えば信号線として作用する。
また、画素電極６３は、互いに交差するゲートバス配線とソースバス配線とによって区画される方形領域のうちＴＦＴ素子６９に対応する部分を除いた領域に形成されている。
【００２４】
ここで、ゲートバス配線及びゲート電極は、例えばクロム、タンタル等によって形成することができる。また、ゲート絶縁膜は、例えば窒化シリコン（ＳｉＮX）、酸化シリコン（ＳｉＯX）等によって形成される。また、半導体層は、例えばドープトａ−Ｓｉ、多結晶シリコン、ＣｄＳｅ等によって形成することができる。さらに、コンタクト電極は、例えばａ−Ｓｉ等によって形成することができ、ソース電極及びそれと一体をなすソースバス配線並びにドレイン電極は、例えばチタン、モリブデン、アルミニウム等によって形成することができる。
【００２５】
また、有機絶縁膜８１は、ゲートバス配線、ソースバス配線及びＴＦＴ素子を覆って素子基板６０上の全域に形成されている。但し、有機絶縁膜８１のドレイン電極６６に対応する部分にはコンタクトホール８３が形成され、このコンタクトホール８３の所で画素電極６３とＴＦＴ素子６９のドレイン電極６６との導通がなされている。
また、かかる有機絶縁膜８１には、反射領域に対応する領域に、散乱形状として、山部と谷部との規則的な又は不規則的な繰り返しパターンから成る凹凸パターンを有する樹脂膜が形成されている。この結果、有機絶縁膜８１の上に積層される光反射膜７９（６３ａ）も同様にして凹凸パターンから成る光反射パターンを有することになる。但し、この凹凸パターンは、透過領域Ｔには形成されていない。
【００２６】
以上のような構造を有する液晶パネル２０を備えた液晶装置において、反射表示の際には、太陽光や室内照明光などの外光が、対向基板３０側から液晶パネル２０に入射するとともに、着色層３７ｒ、３７ｇ、３７ｂや液晶材料２１などを通過して光反射膜７９に至り、そこで反射されて再度液晶材料２１や着色層３７ｒ、３７ｇ、３７ｂなどを通過して、液晶パネル２０から外部へ出ることにより、反射表示が行われる。
一方、透過表示の際には、照明装置から出射された光が液晶パネル２０に入射するとともに、透光性の透明電極６３ｂ部分を通過し、着色層３７ｒ、３７ｇ、３７ｂ、液晶材料２１などを通過して液晶パネル２０の外部へ出ることにより、透過表示が行われる。
【００２７】
３．パネル駆動用フレキシブル回路基板（駆動用ＦＰＣ）
次に、図１（ａ）〜（ｂ）に示す本実施形態の液晶装置１０に備えられた駆動用ＦＰＣ１７、及びその配置構造について説明する。図３（ａ）及び（ｂ）は、図１（ｂ）中、Ｘで示す枠内を拡大して表した断面図であり、図４は、駆動用ＦＰＣ１７の平面図である。
これらの図に示すように、駆動用ＦＰＣ１７は、ポリイミド樹脂等の可撓性の基体１上に、銅やアルミニウムからなる配線パターン２が形成された回路基板である。例えば、０．１ｍｍ程度の厚さのポリイミド可撓性基板上に、センターｔｏセンターのピッチ間隔が０．０５〜０．１ｍｍ、パターン幅が０．０４〜０．１５ｍｍの配線パターンが形成された構成とすることができる。
【００２８】
また、素子基板６０との接続位置において、配線パターン２の端部にはパネル接続端子３が形成され、素子基板６０の基板張出部６０Ｔに形成された外部接続用端子９７に対して、ＡＣＦ８等を用いて電気的に接続されている。また、駆動用ＦＰＣ１７の表面には、コネクタ１８や半導体素子（図示せず）等の電子部品が実装され、さらに、これらの電子部品の実装領域やパネル接続端子３部分等を除いて、絶縁層で被覆されている。
【００２９】
ここで、本実施形態の液晶装置において、駆動用ＦＰＣ１７は、パネル接続端子３が形成された領域で素子基板６０と対向配置され、素子基板６０側の外部接続用端子９７に接続されている。また、素子基板６０と重ならない領域へ導出された後、素子基板６０に対向する側の面、すなわち、パネル接続端子３や配線パターン２が形成された面を内側にして湾曲され、粘着テープ等を用いて筐体１４に固定されている。このとき駆動用ＦＰＣ１７が固定される筐体１４の固定面１４ａは、基板面６１Ａと交差する方向に延在する面となっている。その際に、駆動用ＦＰＣ１７は、素子基板６０の基板面６１Ａの延在方向と、筐体１４における固定面１４ａの延在方向とが交差する線（図３（ａ）においては交点Ｐで示されている。）よりも外側を通過するように湾曲されている。
換言すれば、図３（ｂ）に示すように、基板面６１Ａの延在方向に沿った延長線Ｌ１と、駆動用ＦＰＣ１７の素子基板６０との接続箇所から筐体１４との固定箇所までの間における、素子基板６０の端部から最も離間した最頂部１７Ｍを通過する延長線Ｌ１と直交する線Ｌ２との交点Ｐ１が、筐体１４の固定面１４ａを通過する延長線Ｌ１と直交する線Ｌ３と、延長線Ｌ１との交点Ｐ２よりも、素子基板６０の端部から離間して位置するように湾曲されている。
【００３０】
このように構成することにより、素子基板６０との接続箇所から、筐体１４との固定箇所までの間、長さに充分な余裕を持って駆動用ＦＰＣ１７を配設することができる。その結果、素子基板６０との接続箇所と筐体１４との固定箇所との間に作用する引張力を低減することができる。したがって、素子基板６０のエッジ部分に対して駆動用ＦＰＣ１７が強く押圧されることがなくなり、駆動用ＦＰＣ１７上に形成された配線パターン２の断線を防止することができる。よって、動作不良や故障の少ない液晶装置とすることができる。
【００３１】
ただし、駆動用ＦＰＣにおける、素子基板との接続箇所と筐体との固定箇所との間の長さ（以下、湾曲部分の長さと称する。）が過度に長くなると、駆動用ＦＰＣの曲げ反力によって、素子基板との接続箇所においては、駆動用ＦＰＣが剥離する方向（図中上方向）に力が作用し、筐体との固定箇所においては、駆動用ＦＰＣが剥離する方向（図中右方向）に力が作用しやすくなる（図６（ｂ）を参照）。その結果、筐体１４との固定面１４ａから脱離したり、素子基板６０の外部接続用端子９７から剥がれたりしやすくなるおそれがある。
したがって、図３（ａ）及び（ｂ）に示すように駆動用ＦＰＣ１７を配設する際に、駆動用ＦＰＣ１７において、素子基板６０の基板面６１Ａの延在方向に沿った直線部Ｓが形成されるように考慮して、湾曲部分の長さを決定することが好ましい。
【００３２】
また、駆動用ＦＰＣ１７の湾曲部分の長さが規定される場合には、図５（ａ）に示すように、駆動用ＦＰＣ１７に、筐体１４との固定箇所の位置を規定するための位置決め部７を設けることが好ましい。かかる位置決め部７を設けることにより、筐体との固定箇所が一義的に決定され、湾曲部分の長さをあらかじめ定めた長さに容易に合わせることができる。
図５（ａ）に示す駆動用ＦＰＣ１７の位置決め部７は、基板１の一部に孔を設けた係止部７Ａからなり、図５（ｂ）に示すように、この係止部７Ａを、筐体１４の固定面１４ａに設けられた突部９に対して係止することにより、筐体１４との固定箇所が決定される。
【００３３】
位置決め部の構成は、図５に示す例以外にも種々の態様が考えられ、適宜採用することができる。例えば、筐体側に突部等を設ける必要がないように、形状的な構成やマーキング等、視覚によって確認することができる方法によって、筐体との固定箇所の目印を付しておくこともできる。
【００３４】
また、駆動用ＦＰＣ１７の湾曲部分の長さを規定することなく、素子基板６０との接続箇所において、駆動用ＦＰＣ１７が剥離する方向に作用する力を低減させるためには、図６（ａ）に示すように、筐体１４に、駆動用ＦＰＣ１７における素子基板６０との接続箇所と筐体１４との固定箇所との間を、湾曲の外側から押さえる形状保持部５を設けることが好ましい。このような形状保持部５を備えることにより、駆動用ＦＰＣ１７の曲げ反力を、形状保持部５によって図中上方側から規制して、駆動用ＦＰＣ１７の素子基板６０からの剥離を容易に防止することができる。
【００３５】
なお、筐体の一部に形状保持部を備えた構成以外に、別部材を用いて形状保持部を構成することもできる。別部材を用いて形状保持部材を構成した場合には、液晶装置を組立てる際に、フレキシブル回路基板の配置をスムーズに行うことができるとともに、形状保持部材の配置位置の自由度を高めることができる。
【００３６】
さらに、製造段階において、素子基板６０と電気的に接続するまでに、あらかじめ折り曲げ加工された駆動用ＦＰＣ１７を用いることも好ましい。
このような折り曲げ加工をあらかじめ施した駆動用ＦＰＣ１７を用いることにより、所定の湾曲形状をなすように湾曲させることが容易になり、駆動用ＦＰＣ１７の配置構成を、本発明における所定の構成とすることが容易になる。
【００３７】
また、素子基板のエッジ部分に駆動用ＦＰＣが直接的に接触することを防ぐために、図７（ａ）に示すように、駆動用ＦＰＣ１７のパネル接続端子３と、素子基板６０側の外部接続用端子９７とを電気的に接続する手段として、ＡＣＦ８を用いるとともに、ＡＣＦ８の端部位置と素子基板６０のエッジ部分の位置とを一致させることが好ましい。
このように構成することにより、駆動用ＦＰＣ１７に引張力が作用し、素子基板６０のエッジ部分に押圧された場合であっても、ＡＣＦ８によって押圧力が緩衝されるため、配線パターンの断線を生じにくくすることができる。すなわち、図７（ｂ）に示すように、駆動用ＦＰＣ５１７が素子基板５６０のエッジ部分に直接接触して、配線パターンが断線しやすくなることを防ぐことができる。
【００３８】
なお、本実施形態では、駆動用ＦＰＣを例にとって説明したが、駆動用ＦＰＣ以外であっても、基板に対して接続され、所定の湾曲構造をなして筐体に固定されるようなフレキシブル回路基板を備えた電気光学装置であれば、本発明を適用することができる。
【００３９】
［第２実施形態］
本発明の第２実施形態は、第１実施形態で例示したような電気光学装置の製造方法であって、基板面の延在方向と筐体の固定面の延在方向とが交差する線よりも外側を通過するようにフレキシブル回路基板を湾曲させて、筐体の基板面と交差する方向に延在する固定面に固定することを特徴とする電気光学装置の製造方法である。
以下、本実施形態の電気光学装置の製造方法の一例として、図１に示す液晶装置の製造方法について説明する。
【００４０】
１．液晶パネルの形成
まず、素子基板と対向基板としてのカラーフィルタ基板とを含む液晶パネルを製造する。
かかる液晶パネルを構成する素子基板は、素子基板の基体としてのガラス基板等の上に各種の部材を積層することにより、ＴＦＴ素子や所定パターンの走査線、所定パターンのデータ線、外部接続端子等を適宜形成する。次いで、スパッタリング処理等によりＩＴＯ等の透明導電膜を積層した後、フォトリソグラフィ及びエッチング法により、表示領域に画素電極をマトリクス状に形成する。さらに、画素電極が形成された基板表面に、ポリイミドからなる配向膜を形成する。このようにして、種々の樹脂膜や導電膜が形成された素子基板を製造する。
【００４１】
また、対向基板としてのカラーフィルタ基板は、基体としてのガラス基板等の上に各種の部材を積層することにより、着色層や遮光膜を適宜形成する。次いで、スパッタリング処理等によりＩＴＯ等の透明導電膜を積層した後、フォトリソグラフィ及びエッチング法により、表示領域全面に渡る対向電極を形成する。さらに、対向電極が形成された基板表面に、ポリイミドからなる配向膜を形成する。このようにして、種々の樹脂膜や導電膜が形成されたカラーフィルタ基板を製造する。
【００４２】
次いで、カラーフィルタ基板と素子基板とをシール材を介して貼り合わせてセル構造を形成するとともに、セル構造の内部に液晶材料（図示せず）を配置することにより、図８（ａ）に示すような液晶セル２０´を形成する。液晶材料の配置方法としては、セル構造を形成した後に行う真空注入法や、あらかじめ液晶材料を滴下した後基板を貼り合わせる方法などがある。
その後、カラーフィルタ基板３０及び素子基板６０の外面にそれぞれ偏光板（図示せず）等を貼付したり、駆動用ＦＰＣ１７を電気的に接続したりすることにより、図８（ｂ）に示すように、液晶パネル２０を製造することができる。
【００４３】
このとき、素子基板６０に接続する駆動用ＦＰＣ１７には、あらかじめ折り曲げ加工を施しておくことが好ましい。このようにすることにより、あらかじめ湾曲形状を規定しておくことができるため、後工程で駆動用ＦＰＣ１７を湾曲させて配置することを容易に実施することができる。また、駆動用ＦＰＣ１７として、第１実施形態で説明した位置決め部が設けられたＦＰＣを用いることも好ましい。
【００４４】
２．組立工程
次いで、図８（ｃ）に示すように、液晶パネル２０及び照明装置１１をともに筐体１４に収容するとともに、素子基板６０に接続された駆動用ＦＰＣ１７を、素子基板６０の基板面６１Ａの延在方向と筐体１４の固定面１４ａの延在方向とが交差する線（図中では、交点Ｐとして表される。）よりも外側を通過するように湾曲させ、筐体１４の固定面１４ａに対して固定する。
上述したように、あらかじめ折り曲げ加工されている場合や、筐体との固定箇所を規定する位置決め部を備えている場合には、駆動用ＦＰＣを容易に所定の配置構成をなすように湾曲させて固定させることができる。
【００４５】
次いで、図示しないものの、光源用ＦＰＣと駆動用ＦＰＣとをコネクタ等を介して接続し、図１に示すような液晶装置１０を製造することができる。
このようにして製造された液晶装置であれば、駆動用ＦＰＣ１７において、素子基板６０との接続箇所と筐体１４との固定箇所との間に作用する引張力を低減することができ、素子基板６０のエッジ部分に対して駆動用ＦＰＣ１７が強く押圧されることがなくなることから、駆動用ＦＰＣ１７上に形成された配線パターンの断線を防止することができる。したがって、動作不良や故障の少ない液晶装置とすることができる。
【００４６】
［第３実施形態］
本発明の第３実施形態は、第１実施形態の液晶装置を備えた電子機器である。
図９は、本実施形態の電子機器の全体構成を示す概略構成図である。この電子機器は、液晶装置に備えられた液晶パネル２０と、これを制御するための制御手段２００とを有している。また、図９中では、液晶パネル２０を、パネル構造体２０Ａと、半導体素子（ＩＣ）等で構成される駆動回路２０Ｂと、に概念的に分けて描いてある。また、制御手段２００は、表示情報出力源２０１と、表示処理回路２０２と、電源回路２０３と、タイミングジェネレータ２０４とを備えている。
また、表示情報出力源２０１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２０４によって生成された各種のクロック信号に基づいて、所定フォーマットの画像信号等の形で表示情報を表示処理回路２０２に供給するように構成されている。
【００４７】
また、表示処理回路２０２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２０Ｂへ供給する。さらに、駆動回路２０Ｂは、第１の電極駆動回路、第２の電極駆動回路及び検査回路を含めることができる。また、電源回路２０３は、上述の各構成要素にそれぞれ所定の電圧を供給する機能を有している。
そして、本実施形態の電子機器であれば、駆動用ＦＰＣ上の配線パターンが断線しにくい液晶パネルを備えているために、動作不良や故障の少ない電子機器とすることができる。
【産業上の利用可能性】
【００４８】
本発明によれば、フレキシブル回路基板を、所定の湾曲形状となるように湾曲させることにより、フレキシブル回路基板上の配線パターンを断線しにくくした電気光学装置を提供することができる。したがって、ＴＦＴ素子、ＴＦＤ素子を備えた液晶装置や電子機器、例えば、携帯電話機やパーソナルコンピュータ等をはじめとして、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などに幅広く適用することができる。
また、本発明を適用可能な電気光学装置は液晶装置に限られるものではなく、ＥＬ装置やプラズマディスプレイ装置、電子放出素子を備えた装置（ＦＥＤ:Field Emission DisplayやＳＣＥＥＤ：Surface-Conduction Electron-Emitter Display）等、フレキシブル回路基板が接続され、湾曲されて固定される電気光学装置であれば好適に使用することができる。
【図面の簡単な説明】
【００４９】
【図１】第１実施形態にかかる液晶装置の構成例を示す斜視図及び断面図である。
【図２】液晶パネルの構成を示す拡大断面図である。
【図３】駆動用ＦＰＣの配置構成を説明するための図である。
【図４】駆動用ＦＰＣの構成例を示す図である。
【図５】位置決め部を備えた駆動用ＦＰＣの構成例を示す図である。
【図６】形状保持部について説明するための図である。
【図７】ＡＣＦの配置位置について説明するための図である。
【図８】第２実施形態にかかる液晶装置の製造方法の一例を説明するための図である。
【図９】第３実施形態の電子機器の概略構成を示すブロック図である。
【図１０】従来の液晶装置の構成を示す図である。
【図１１】従来の液晶装置の別の構成を示す図である。
【符号の説明】
【００５０】
１：可撓性基体、２：配線パターン、３：パネル接続端子、５：形状保持部、７：位置決め部、８：異方性導電膜（ＡＣＦ）、９：突部、１０：液晶装置、１１：照明装置、１３：光源、１４：筐体、１４ａ：筐体の固定面、１５：導光板、１７：パネル駆動用フレキシブル回路基板、１８：コネクタ、１９：光源駆動用フレキシブル回路基板、２０：液晶パネル、３０：対向基板（カラーフィルタ基板）、６０：素子基板、６０Ｔ：基板張出部、６１：ガラス基板、６１Ａ：基板面、９７：外部接続用端子
【図１】
2008058760.tif 000003
【図２】
2008058760.tif 000004
【図３】
2008058760.tif 000005
【図４】
2008058760.tif 000006
【図５】
2008058760.tif 000007
【図６】
2008058760.tif 000008
【図７】
2008058760.tif 000009
【図８】
2008058760.tif 000010
【図９】
2008058760.tif 000011
【図１０】
2008058760.tif 000012
【図１１】
2008058760.tif 000013